(57)【要約】【課題】学習する機会を提供して、効率良く学習する。【解決手段】携帯装置２であって、ユーザの操作に応じて、問題を取得する第１処理以外の第２処理を実行する処理実行部２０５ａと、第１処理により取得された問題を出題する出題制御部２０５ｂと、第２処理を実行するためのユーザの操作後に、当該ユーザの操作による第２処理を実行させないように制御するとともに、問題を出題させるように制御し、問題の出題後に、第２処理を実行させるように制御する処理継続制御部２０５ｃと、を備えている。【選択図】図２
2016062067.tif 000002
【特許請求の範囲】
【請求項１】
出題する問題を取得する第１処理を実行する第１処理手段と、
ユーザの操作に応じて、問題を取得する第１処理以外の第２処理を実行する第２処理手段と、
前記第１処理手段により取得された問題を出題する出題手段と、
前記第２処理を実行するための前記ユーザの操作後に、当該ユーザの操作による前記第２処理を前記第２処理手段に実行させないように制御するとともに、前記出題手段に前記問題を出題させるように制御し、前記問題の出題後に、前記第２処理手段に前記第２処理を実行させるように制御する第１制御手段と、
を備えたことを特徴とする出題装置。
【請求項２】
前記第２処理手段は、当該出題装置のユーザによる操作不可の状態を解除して操作可の状態にする解除処理を実行し、
前記第１制御手段は、前記解除処理を実行するための前記ユーザの操作後に、当該ユーザの操作による前記解除処理を前記第２処理手段に実行させないように制御するとともに、前記出題手段に前記問題を出題させるように制御し、前記問題の出題後に、前記第２処理手段に前記解除処理を実行させるように制御することを特徴とする請求項１に記載の出題装置。
【請求項３】
前記第２処理手段は、当該出題装置を起動させる起動処理を実行し、
前記第１制御手段は、前記起動処理を実行するための前記ユーザの操作後に、当該ユーザの操作による前記起動処理を前記第２処理手段に実行させないように制御するとともに、前記出題手段に前記問題を出題させるように制御し、前記問題の出題後に、前記第２処理手段に前記起動処理を実行させるように制御することを特徴とする請求項１に記載の出題装置。
【請求項４】
前記出題手段により出題された各問題の正解率をそれぞれ算出する算出手段と、
前記算出手段により算出された正解率に基づいて、前記出題手段により出題される各問題の出題頻度を制御する第２制御手段と、を更に備えることを特徴とする請求項１〜３の何れか一項に記載の出題装置。
【請求項５】
前記第１処理手段は、所定の通信回線を介した通信により問題を取得することを特徴とする請求項１〜４の何れか一項に記載の出題装置。
【請求項６】
出題する問題を記憶する記憶手段を更に備え、
前記第１処理手段は、前記記憶手段に記憶されている問題を取得することを特徴とする請求項１〜４の何れか一項に記載の出題装置。
【請求項７】
前記出題手段は、表示手段の表示領域に問題を表示させ、
前記表示領域に表示された問題の解答を入力する操作入力部を更に備えることを特徴とする請求項１〜６の何れか一項に記載の出題装置。
【請求項８】
出題装置を用いた出題方法であって、
出題する問題を取得する処理を実行する第１処理と、
ユーザの操作に応じて、問題を取得する処理以外の処理を実行する第２処理と、
前記第１処理により取得された問題を出題する出題処理と、
前記第２処理を実行するための前記ユーザの操作後に、当該ユーザの操作による前記第２処理を実行させないように制御するとともに、前記出題処理にて前記問題を出題させるように制御し、前記問題の出題後に、前記第２処理を実行するように制御する制御処理と、
を含むことを特徴とする出題方法。
【請求項９】
出題装置のコンピュータを、
出題する問題を取得する第１処理を実行する第１処理手段、
ユーザの操作に応じて、問題を取得する第１処理以外の第２処理を実行する第２処理手段、
前記第１処理手段により取得された問題を出題する出題手段、
前記第２処理を実行するための前記ユーザの操作後に、当該ユーザの操作による前記第２処理を前記第２処理手段に実行させないように制御するとともに、前記出題手段に前記問題を出題させるように制御し、前記問題の出題後に、前記第２処理手段に前記第２処理を実行させるように制御する制御手段、
として機能させることを特徴とするプログラム。
【発明の詳細な説明】
【技術分野】
【０００１】
本発明は、出題装置、出題方法及びプログラムに関する。
【背景技術】
【０００２】
従来、単語の暗記を要する学習に用いられる電子単語帳が知られている（例えば、特許文献１参照）。
【先行技術文献】
【特許文献】
【０００３】
【特許文献１】特開２００６−３３０５２０号公報
【発明の概要】
【発明が解決しようとする課題】
【０００４】
しかしながら、学習は一般的に能動的に行うものであるため、ユーザに強い意志がなければ学習する機会が減少してしまう。特に、単語の暗記の場合、反復的に学習する必要があり、学習効率の低下を招いてしまうといった問題がある。
【０００５】
そこで、本願発明の課題は、学習する機会を提供することができ、効率良く学習することができる出題装置、出題方法及びプログラムを提供することである。
【課題を解決するための手段】
【０００６】
上記課題を解決するため、本発明に係る出題装置は、
出題する問題を取得する第１処理を実行する第１処理手段と、
ユーザの操作に応じて、問題を取得する第１処理以外の第２処理を実行する第２処理手段と、
前記第１処理手段により取得された問題を出題する出題手段と、
前記第２処理を実行するための前記ユーザの操作後に、当該ユーザの操作による前記第２処理を前記第２処理手段に実行させないように制御するとともに、前記出題手段に前記問題を出題させるように制御し、前記問題の出題後に、前記第２処理手段に前記第２処理を実行させるように制御する第１制御手段と、
を備えたことを特徴としている。
【０００７】
また、本発明に係る出題方法は、
出題装置を用いた出題方法であって、
出題する問題を取得する処理を実行する第１処理と、
ユーザの操作に応じて、問題を取得する処理以外の処理を実行する第２処理と、
前記第１処理により取得された問題を出題する出題処理と、
前記第２処理を実行するための前記ユーザの操作後に、当該ユーザの操作による前記第２処理を実行させないように制御するとともに、前記出題処理にて前記問題を出題させるように制御し、前記問題の出題後に、前記第２処理を実行するように制御する制御処理と、
を含むことを特徴としている。
【０００８】
また、本発明に係るプログラムは、
出題装置のコンピュータを、
出題する問題を取得する第１処理を実行する第１処理手段、
ユーザの操作に応じて、問題を取得する第１処理以外の第２処理を実行する第２処理手段、
前記第１処理手段により取得された問題を出題する出題手段、
前記第２処理を実行するための前記ユーザの操作後に、当該ユーザの操作による前記第２処理を前記第２処理手段に実行させないように制御するとともに、前記出題手段に前記問題を出題させるように制御し、前記問題の出題後に、前記第２処理手段に前記第２処理を実行させるように制御する制御手段、
として機能させることを特徴としている。
【発明の効果】
【０００９】
本発明によれば、学習する機会を提供することができ、効率良く学習することができる。
【図面の簡単な説明】
【００１０】
【図１】本発明を適用した一実施形態の学習システムの概略構成を示す図である。
【図２】図１の学習システムを構成する電子単語帳の概略構成を示すブロック図である。
【図３】図１の学習システムを構成する携帯装置の概略構成を示すブロック図である。
【図４】図１の学習システムによる学習処理に係る動作の一例を示すフローチャートである。
【図５】図４の学習処理における図３の携帯装置によるメイン処理に係る動作の一例を示すフローチャートである。
【図６】図５のメイン処理の続きを示すフローチャートである。
【発明を実施するための形態】
【００１１】
以下に、本発明について、図面を用いて具体的な態様を説明する。ただし、発明の範囲は、図示例に限定されない。
【００１２】
図１は、本発明を適用した一実施形態の学習システム１００の概略構成を示す図である。
図１に示すように、本実施形態の学習システム１００は、電子単語帳（学習用装置；図２参照）１と、携帯装置（出題装置；図３参照）２とを備え、電子単語帳１と携帯装置２とは、無線通信回線（例えば、Bluetooth（登録商標）等の無線ＰＡＮ（Personal Area Network））を介して情報通信可能に接続されている。
ここで、電子単語帳１及び携帯装置２は、例えば、同一のユーザにより所持され使用されるものであるが、互いに異なるユーザにより所持され使用されても良い。
【００１３】
先ず、電子単語帳１について、図２を参照して説明する。
図２は、学習システム１００を構成する電子単語帳１の概略構成を示すブロック図である。
【００１４】
図２に示すように、電子単語帳１は、中央制御部１０１と、メモリ１０２と、記憶部１０３と、動作制御部１０４と、表示部１０５と、操作入力部１０６と、無線処理部１０７とを備えている。
また、中央制御部１０１、メモリ１０２、記憶部１０３、動作制御部１０４、表示部１０５及び無線処理部１０７は、バスライン１０８を介して接続されている。
【００１５】
中央制御部１０１は、電子単語帳１の各部を制御するものである。具体的には、中央制御部１０１は、図示は省略するが、ＣＰＵ（Central Processing Unit）、ＲＡＭ（Random Access Memory）、ＲＯＭ（Read Only Memory）を備え、電子単語帳１用の各種処理プログラム（図示略）に従って各種の制御動作を行う。
【００１６】
メモリ１０２は、例えば、ＤＲＡＭ（Dynamic Random Access Memory）等により構成され、中央制御部１０１の他、当該電子単語帳１の各部によって処理されるデータ等を一時的に記憶するものである。
【００１７】
記憶部１０３は、例えば、不揮発性メモリ（フラッシュメモリ）等により構成され、データの読み出しやデータの書き込みを制御する。また、記憶部１０３は、例えば、英単語の学習用の問題及び解答に係る問題情報Ｑが記憶されている。
ここで、問題情報Ｑとしては、具体的には、例えば、英単語を出題してその意味を問う問題、所定の言語（例えば、日本語）で表された言葉に対応する英単語の綴りを問う問題、英単語の発音やアクセントを問う問題、英単語を使用した英作文を作成する問題等が挙げられるが、一例であってこれに限られるものではなく、適宜任意に変更可能である。
なお、記憶部１０３は、例えば、記憶媒体（図示略）が着脱自在に構成され、装着された記憶媒体からのデータの読み出しや記憶媒体に対するデータの書き込みを制御する構成であっても良い。
【００１８】
動作制御部１０４は、出題制御部１０４ａを具備している。
なお、動作制御部１０４の各部は、例えば、所定のロジック回路から構成されているが、当該構成は一例であってこれに限られるものではない。
【００１９】
出題制御部１０４ａは、記憶部１０３に記憶されている問題情報Ｑから何れかの問題を選択して、表示部１０５に表示させる。また、出題制御部１０４ａは、表示部１０５に表示されている問題に対してユーザによる操作入力部１０６の所定操作（例えば、解答を選択する操作やアルファベットを入力する操作等）に基づいて解答が入力された場合に、当該解答が正解であるか否かを判定する。そして、出題制御部１０４ａは、各問題に対する正誤に係る情報を取得して、メモリ１０２に転送して記憶させる。
【００２０】
表示部１０５は、例えば、中央制御部１０１のＣＰＵの制御下にて各種情報を表示領域内に表示する。具体的には、表示部１０５は、表示パネル１０５ａと、表示制御部１０５ｂとを具備している。
【００２１】
表示パネル１０５ａは、例えば、液晶表示パネルや有機ＥＬ（Electro-Luminescence）表示パネル等を備えて構成されている。また、表示パネル１０５ａは、表示領域内に各種情報（例えば、英単語の学習用の問題等）を表示する。
表示制御部１０５ｂは、中央制御部１０１のＣＰＵによる各種のプログラム（図示略）の実行に基づいて、実行されているプログラムに対応する画像データを生成し、生成された画像データを表示パネル１０５ａに出力する。
【００２２】
操作入力部１０６は、当該電子単語帳１の所定操作を行うためのものであり、例えば、装置本体の電源のＯＮ／ＯＦＦに係る電源ボタン、モードや機能等の選択指示に係る選択決定ボタン等を備えている。
そして、ユーザにより各種ボタンが操作されると、操作入力部１０６は、操作されたボタンに応じた操作指示を中央制御部１０１に出力する。中央制御部１０１は、操作入力部１０６から出力され入力された操作指示に従って所定の動作（例えば、英単語の問題の出題等）を各部に実行させる。
【００２３】
無線処理部１０７は、所定の無線通信回線を介して接続された携帯装置２との情報の通信制御を行う。
すなわち、無線処理部１０７は、所定の無線通信回線（例えば、Bluetooth等の無線ＰＡＮ（Personal Area Network））を介して携帯装置２と通信可能に接続する通信手段を構成している。具体的には、無線処理部１０７は、例えば、通信アンテナ１０７ａを介して携帯装置２との間で無線通信を行うための制御モジュールを具備している。
そして、無線処理部１０７は、例えば、予めペアリングと呼ばれる通信設定処理を行うことで、互いのデバイス情報や認証鍵のデータを無線信号により通信相手と交換する。これにより、その後、通信設定処理を毎回行わなくとも、例えば、電子単語帳１と携帯装置２とが電波が届かない範囲に離れれば通信接続が解除される一方で、電波が届く範囲に近づけば自動的に通信接続される。
【００２４】
また、無線処理部１０７は、問題情報Ｑを無線ＰＡＮを介して携帯装置２に送信する。
具体的には、例えば、ユーザによる操作入力部１０６の所定操作に基づいて、或いは、デフォルトとして指定されている所定のタイミングで問題情報Ｑの送信指示が入力されると、中央制御部１０１のＣＰＵは、メモリ１０２に記憶されている各問題に対する正誤に係る情報を取得して、所定期間（例えば、直近１日や１週間等）内でユーザが誤解答している問題を特定する。そして、中央制御部１０１のＣＰＵは、特定されたユーザが誤解答している複数の問題及び解答に係る問題情報Ｑを記憶部１０３から取得して、無線処理部１０７に転送する。無線処理部１０７は、転送された問題情報Ｑを無線ＰＡＮを介して携帯装置２に送信する。
【００２５】
次に、携帯装置２について、図３を参照して説明する。
図３は、学習システム１００を構成する携帯装置２の概略構成を示すブロック図である。
【００２６】
図３に示すように、携帯装置２は、中央制御部２０１と、メモリ２０２と、第１無線処理部２０３と、記憶部２０４と、動作制御部２０５と、表示部２０６と、第２無線処理部２０７と、送受話部２０８と、操作入力部２０９等を備えている。
また、中央制御部２０１、メモリ２０２、第１無線処理部２０３、記憶部２０４、動作制御部２０５、表示部２０６、第２無線処理部２０７及び送受話部２０８は、バスライン２１０を介して接続されている。
【００２７】
なお、携帯装置２は、例えば、携帯電話やＰＨＳ（Personal Handy-phone System）やスマートフォンなどの移動体通信網で用いられる移動局、ＰＤＡ（Personal Data Assistants）等から構成されている。
【００２８】
中央制御部２０１は、携帯装置２の各部を制御する。
具体的には、中央制御部２０１は、携帯装置２の各部を制御するＣＰＵ（Central Processing Unit；図示略）、ＲＡＭ（Random Access Memory）、ＲＯＭ（Read Only Memory）を備え、携帯装置２用の各種処理プログラム（図示略）に従って各種の制御動作を行う。
【００２９】
メモリ２０２は、例えば、ＤＲＡＭ（Dynamic Random Access Memory）等により構成され、中央制御部２０１の他、当該携帯装置２の各部によって処理されるデータ等を一時的に記憶する。
【００３０】
第１無線処理部２０３は、所定の無線通信回線を介して接続された電子単語帳１と通信する。
即ち、第１無線処理部２０３は、例えば、通信アンテナ２０３ａを介して電子単語帳１との間で無線通信を行うための制御モジュールを具備している。また、第１無線処理部２０３は、電子単語帳１から無線ＰＡＮを介した通信により送信された問題情報Ｑを受信する。そして、第１無線処理部２０３の問題情報取得部２０３ｂは、受信された問題情報Ｑを取得し、メモリ２０２に転送して記憶させる。
なお、第１無線処理部２０３の構成及び機能は、電子単語帳１の無線処理部１０７と略同様であるので、詳細な説明は省略する。
【００３１】
記憶部２０４は、例えば、不揮発性メモリ（フラッシュメモリ）等により構成され、データの読み出しやデータの書き込みを制御する。
また、記憶部（記憶手段）２０４は、例えば、英単語の学習用等に出題される問題及び解答に係る問題情報Ｑを記憶する。具体的には、記憶部２０４は、メモリ２０２から問題情報取得部２０３ｂにより取得された問題情報Ｑを取得して記憶する。
なお、記憶部２０４は、例えば、記憶媒体（図示略）が着脱自在に構成され、装着された記憶媒体からのデータの読み出しや記憶媒体に対するデータの書き込みを制御する構成であっても良い。
【００３２】
動作制御部２０５は、処理実行部２０５ａと、出題制御部２０５ｂと、処理継続制御部２０５ｃと、正解率算出部２０５ｄと、出題頻度制御部２０５ｅと、を具備している。
なお、動作制御部２０５の各部は、例えば、所定のロジック回路から構成されているが、当該構成は一例であってこれに限られるものではない。
【００３３】
処理実行部（第２処理手段）２０５ａは、問題を取得する第１処理以外の各種の第２処理を実行する。
すなわち、処理実行部２０５ａは、当該携帯装置２のユーザによる操作不可の状態を解除してユーザによる操作可の状態にする解除処理を実行する。具体的には、携帯装置２は、例えば、ユーザによる操作が行われないまま所定時間が経過したり、或いは、ユーザによる操作入力部２０９の所定の操作に基づいて、外部操作を受け付けない操作不可の状態（ロック状態）となる。このロック状態で、ユーザによる操作入力部２０９の所定操作に基づいてロックを解除する指示（ロック解除指示）が入力されると、中央制御部２０１のＣＰＵは、処理実行部２０５ａにロック状態を解除してユーザによる操作可の状態（アンロック状態）にする解除処理を実行させる。
また、処理実行部２０５ａは、当該携帯装置２を起動させる起動処理を実行する。具体的には、例えば、ユーザによる操作が行われないまま所定時間が経過したり、或いは、ユーザによる操作入力部２０９の所定の操作に基づいて、当該携帯装置２の各部への通電を停止した電源オフ状態となる。この電源オフ状態で、ユーザによる操作入力部２０９の所定操作に基づいて電源を投入する指示（電源投入指示）が入力されると、中央制御部２０１のＣＰＵは、処理実行部２０５ａに当該携帯装置２を起動させて各部への通電を開始させる起動処理を実行させる。
【００３４】
なお、処理実行部２０５ａにより実行される第２処理として、解除処理や起動処理を例示したが、一例であってこれらに限られるものではなく、適宜任意に変更可能である。例えば、処理実行部２０５ａは、電子メールソフト、インターネットブラウザ、メッセンジャー、ゲームソフト、画像再生ソフト、音楽再生ソフト等の各種のアプリケーションプログラムの実行に基づいて、これらのアプリケーションに対応する各種の処理を実行するような構成であっても良い。
【００３５】
出題制御部２０５ｂは、第１処理にて取得された問題を出題する。
すなわち、出題制御部（第１処理手段）２０５ｂは、例えば、記憶部２０４に記憶されている問題情報Ｑを取得する第１処理を実行する。また、出題制御部（出題手段）２０５ｂは、第１処理にて取得された問題情報Ｑに基づいて問題を出題する。具体的には、例えば、処理実行部２０５ａにより解除処理が実行される前に、出題制御部２０５ｂは、出題制御プログラム（図示略）を実行することで、記憶部２０４に記憶されている問題情報Ｑから何れかの問題を取得して、表示部２０６の表示領域にロック解除画面に重畳させて表示させる。そして、表示部２０６に表示されている問題に対してユーザによる操作入力部２０９の所定操作（例えば、解答を選択する操作やアルファベットを入力する操作等）に基づいて解答が入力された場合に、出題制御部２０５ｂは、当該解答が正解であるか否かを判定する。
なお、起動処理の場合も同様に、処理実行部２０５ａにより起動処理が実行される前に、出題制御部２０５ｂは、記憶部２０４に記憶されている問題情報Ｑから何れかの問題を取得して、表示部２０６の表示領域に表示させる。
また、出題制御部２０５ｂは、各問題に対する正誤に係る情報をメモリ２０２に転送して記憶させても良い。
【００３６】
処理継続制御部２０５ｃは、処理実行部２０５ａにより実行される処理を継続して実行させる。
すなわち、処理継続制御部（第１制御手段）２０５ｃは、第２処理（例えば、解除処理等）を実行するためのユーザの操作後に、当該ユーザの操作による第２処理を処理実行部２０５ａに実行させないように制御するとともに、出題制御部２０５ｂに問題を出題させるように制御し、問題の出題後に、処理実行部２０５ａに第２処理を実行させるように制御する。ここで、処理実行部２０５ａに第２処理を実行させない制御と、出題制御部２０５ｂに問題を出題させる制御との順序は、同時であっても良いし、何れかの制御が先であっても良い。
そして、例えば、出題制御部２０５ｂにより表示部２０６に表示されている問題に対する解答が正解であると判定されると、処理継続制御部２０５ｃは、処理実行部２０５ａに解除処理を継続して実行させ、当該携帯装置２のユーザによる操作不可のロック状態を解除してユーザによる操作可のアンロック状態にする。
なお、起動処理の場合も同様に、出題制御部２０５ｂにより出題された問題にユーザが正解した場合に、処理継続制御部２０５ｃは、処理実行部２０５ａに起動処理を継続して実行させ、当該携帯装置２を起動させて各部への通電を開始させる。
【００３７】
正解率算出部２０５ｄは、出題された各問題の正解率をそれぞれ算出する。
すなわち、正解率算出部（算出手段）２０５ｄは、出題制御部２０５ｂにより出題された各問題の正解率をそれぞれ算出する。具体的には、例えば、出題制御部２０５ｂにより出題された問題の数（全体の出題数ｍ）が所定数（例えば、２０）になった場合に、正解率算出部２０５ｄは、メモリ２０２に記憶されている各問題に対する正誤に係る情報を取得して、各問題毎に正解率nk[p]をそれぞれ算出する。
ここで、「p」は、各問題に割り振られた識別番号（例えば、n個の場合、「0」〜「n-1」等）を表し、正解率算出部２０５ｄは、各問題の正解した回数nj[p]を出題数ni[p]で除算して正解率nk[p]をそれぞれ算出する。例えば、n個の問題の正解率nk[p]を算出する場合、正解率算出部２０５ｄは、先ず、識別番号「p＝0」の問題の正解率nk[0]を算出する。その後、正解率算出部２０５ｄは、識別番号「p」を＋１インクリメントして識別番号「p」が次の問題の正解率nk[p]（例えば、識別番号「p＝1」の問題の正解率nk[1]等）を算出する処理を、識別番号「p＝n-1」の問題の正解率nk[n-1]を算出するまで繰り返し実行する。
そして、正解率算出部２０５ｄは、算出された各問題の正解率nk[p]に係る情報をメモリ２０２に転送して記憶させる。
【００３８】
出題頻度制御部２０５ｅは、出題制御部２０５ｂにより出題される各問題の出題頻度を制御する。
すなわち、出題頻度制御部（第２制御手段）２０５ｅは、正解率算出部２０５ｄにより算出された各問題の正解率に基づいて、出題制御部２０５ｂにより出題される各問題の出題頻度を制御する。具体的には、出題頻度制御部２０５ｅは、正解率算出部２０５ｄにより算出された正解率nk[p]が低い問題ほどより多く出題されるように各問題の最大出題数n_max[p]を算出する。例えば、出題頻度制御部２０５ｅは、下記式（１）に従って、各問題毎に、その正解率nk[p]を１から減算した値に所定の自然数y（例えば、２０）を乗算して算出された値を当該問題の最大出題数n_max[p]として算出する。
各問題の最大出題数n_max[p]＝(1- nk[p])×所定の自然数y      …式（１）
例えば、正解率が「0.1」、「0.5」、「0.6」の問題がある場合、上記式（１）に従って算出される各問題の最大出題数は、正解率が「0.1」の問題では「18」となり、正解率が「0.5」の問題では「10」となり、正解率が「0.6」の問題では「8」となる。
【００３９】
そして、出題頻度制御部２０５ｅは、出題制御部２０５ｂを制御して、算出された各問題の最大出題数n_max[p]となるまで当該問題をランダムに出題させる。
なお、上記した各問題の最大出題数n_max[p]を算出する手法は、一例であってこれに限られるものではなく、適宜任意に変更可能である。例えば、各問題の最大出題数n_max[p]はユーザが予め決めた値でも良い。
【００４０】
表示部２０６は、例えば、中央制御部２０１のＣＰＵの制御下にて各種情報を表示領域内に表示する。具体的には、表示部２０６は、表示パネル２０６ａと、表示制御部２０６ｂとを具備している。
【００４１】
表示パネル２０６ａは、例えば、液晶表示パネルや有機ＥＬ（Electro-Luminescence）表示パネル等を備えて構成されている。また、表示パネル２０６ａは、表示領域内に各種情報（例えば、英単語の学習用の問題等）を表示する。
表示制御部２０６ｂは、中央制御部２０１のＣＰＵによる各種のプログラム（図示略）の実行に基づいて、実行されているプログラムに対応する画像データを生成し、生成された画像データを表示パネル２０６ｂに出力する。
【００４２】
第２無線処理部２０７は、通信ネットワークＮ及び通信アンテナ２０７ａを介してデータの送受信を行う。
即ち、通信アンテナ２０７ａは、当該携帯装置２が無線基地局（図示略）との通信で採用している所定の通信方式（例えば、Ｗ−ＣＤＭＡ(Wideband Code Division Multiple Access)方式、ＧＳＭ（Global System for Mobile Communications；登録商標）方式等）に対応したデータの送受信が可能なアンテナである。そして、第２無線処理部２０７は、所定の通信方式に対応する通信プロトコルに従って、この通信方式で設定される通信チャネルにより無線基地局との間で通信アンテナ２０７ａを介してデータの送受信を行う。つまり、第２無線処理部２０７は、中央制御部２０１から出力されて入力される指示信号に基づいて、通信相手の外部機器に対して、当該外部機器の外部ユーザとの通話中の音声の送受信や、電子メールのデータの送受信を行う。
なお、第２無線処理部２０７の構成は一例であってこれに限られるものではなく、適宜任意に変更可能であり、例えば、図示は省略するが、無線ＬＡＮモジュールを搭載し、アクセスポイント（Access Point）を介して通信ネットワークＮにアクセス可能な構成としても良い。
【００４３】
通信ネットワークＮは、例えば、携帯装置２を無線基地局やゲートウェイサーバ（図示略）等を介して外部機器と接続する通信ネットワークである。
また、通信ネットワークＮは、例えば、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００４４】
送受話部２０８は、通信ネットワークＮを介して接続された外部機器の外部ユーザとの通話を行う。
具体的には、送受話部２０８は、マイク２０８ａ、スピーカ２０８ｂ、データ変換部２０８ｃ等を備えている。そして、送受話部２０８は、マイク２０８ａから入力されるユーザの送話音声をデータ変換部２０８ｃによりＡ／Ｄ変換処理して送話音声データを中央制御部２０１に出力するとともに、中央制御部２０１の制御下にて、第２無線処理部２０７から出力されて入力される受話音声データ等の音声データをデータ変換部２０８ｃによりＤ／Ａ変換処理してスピーカ２０８ｂから出力する。
【００４５】
操作入力部２０９は、携帯装置２本体に対して各種指示を入力するためのものである。
具体的には、操作入力部２０９は、携帯装置２本体の電源のＯＮ／ＯＦＦに係る電源ボタン、モードや機能等の選択指示に係る上下左右のカーソルボタンや決定ボタン、電話の発着信や電子メールの送受信等の実行指示に係る通信関連ボタン、テキストの入力指示に係る数字ボタンや記号ボタン等の各種ボタン（何れも図示略）を備えている。
そして、ユーザにより各種ボタンが操作されると、操作入力部２０９は、操作されたボタンに応じた操作指示を中央制御部２０１に出力する。中央制御部２０１は、操作入力部２０９から出力され入力された操作指示に従って所定の動作（例えば、電話の発着信、電子メールの送受信等）を各部に実行させる。
【００４６】
なお、操作入力部２０９は、表示部２０６と一体となって設けられたタッチパネルを有していても良く、ユーザによるタッチパネルの所定操作に基づいて、当該所定操作に応じた操作指示を中央制御部２０１に出力しても良い。
【００４７】
＜学習処理＞
次に、本実施形態の学習システム１００による学習処理について、図４を参照して説明する。
図４は、学習システム１００による学習処理に係る動作の一例を示すフローチャートである。
なお、以下に説明する学習処理にあっては、出題制御部２０５ｂが、英単語等の問題を出題する場合について説明する。
【００４８】
図４に示すように、電子単語帳１にあっては、例えば、ユーザによる操作入力部１０６の所定操作に基づいて、英単語の学習の実行指示が入力されると、中央制御部１０１のＣＰＵは、出題制御部１０４ａに英単語等の問題を出題させる（ステップＳ１）。
具体的には、出題制御部１０４ａは、記憶部１０３に記憶されている問題情報Ｑから何れかの問題を選択して、表示部１０５に表示させる。そして、出題制御部１０４ａは、ユーザによる操作入力部１０６の所定操作に基づいて解答が入力された場合に、当該解答が正解であるか否かを判定し、各問題に対する正誤に係る情報を取得する。
【００４９】
次に、中央制御部１０１のＣＰＵは、例えば、ユーザによる操作入力部１０６の所定操作に基づいて問題情報Ｑの送信指示が入力されているか否かを判定する（ステップＳ２）。
ここで、問題情報Ｑの送信指示が入力されていないと判定されると（ステップＳ２；ＮＯ）、中央制御部１０１のＣＰＵは、処理をステップＳ１に戻し、それ以降の処理を逐次実行させる。
【００５０】
一方、ステップＳ２にて、問題情報Ｑの送信指示が入力されたと判定されると（ステップＳ２；ＹＥＳ）、中央制御部１０１のＣＰＵは、無線処理部１０７によりユーザが誤解答している問題情報Ｑを無線ＰＡＮを介して携帯装置２に送信させる（ステップＳ３）。
具体的には、中央制御部１０１のＣＰＵは、メモリ１０２に記憶されている各問題に対する正誤に係る情報を取得して、所定期間内でユーザが誤解答している問題を特定し、特定されたユーザが誤解答している複数の問題及び解答に係る問題情報Ｑを記憶部１０３から取得して、無線処理部１０７に転送する。無線処理部１０７は、転送された問題情報Ｑを無線ＰＡＮを介して携帯装置２に送信する。
【００５１】
携帯装置２にあっては、第１無線処理部２０３は、電子単語帳１から無線ＰＡＮを介して送信された問題情報Ｑを受信し、問題情報取得部２０３ｂは、受信された問題情報Ｑを取得してメモリ２０２に転送する（ステップＳ４）。そして、記憶部２０４は、メモリ２０２から問題情報取得部２０３ｂにより取得された問題情報Ｑを取得して記憶する。
【００５２】
次に、外部操作を受け付けない操作不可のロック状態で、中央制御部２０１のＣＰＵは、ユーザによる操作入力部２０９の所定操作に基づいて処理実行部２０５ａによりロックを解除するロック解除指示が入力されたか否かを判定する（ステップＳ５）。
ここで、ロック解除指示が入力されていないと判定されると（ステップＳ５；ＮＯ）、中央制御部２０１のＣＰＵは、ロック解除指示が入力されたか否かの判定を所定の時間間隔で繰り返し実行する。
【００５３】
一方、ステップＳ５にて、ロック解除指示が入力されたと判定されると（ステップＳ５；ＹＥＳ）、処理継続制御部２０５ｃは、処理実行部２０５ａにロック状態を解除してユーザによる操作可の状態（アンロック状態）にする解除処理を実行させないように制御するとともに、出題制御部２０５ｂに英単語等の問題を出題させるように制御する（ステップＳ６）。具体的には、出題制御部２０５ｂは、出題制御プログラムを実行することで、記憶部２０４に記憶されている問題情報Ｑから何れかの問題を取得して、表示部２０６の表示領域にロック解除画面に重畳させて表示させる（詳細後述）。
続けて、出題制御部２０５ｂは、表示部２０６に表示されている問題に対してユーザによる操作入力部２０９の所定操作に基づいて解答が入力された場合に、当該解答が正解であるか否かを判定する（ステップＳ７）。
【００５４】
ステップＳ７にて、解答が正解でない（誤解答である）と判定されると（ステップＳ７；ＮＯ）、中央制御部２０１のＣＰＵは、処理をステップＳ６に戻し、出題制御部２０５ｂは、記憶部２０４に記憶されている問題情報Ｑから異なる問題を取得して、表示部２０６の表示領域に表示させる。
一方、ステップＳ７にて、解答が正解であると判定されると（ステップＳ７；ＹＥＳ）、処理継続制御部２０５ｃは、処理実行部２０５ａに解除処理を継続して実行させ、当該携帯装置２のユーザによる操作不可のロック状態を解除してユーザによる操作可のアンロック状態にする（ステップＳ８）。
これにより、学習処理を終了する。
【００５５】
＜メイン処理＞
次に、学習処理における携帯装置２によるメイン処理について、図５及び図６を参照して説明する。
図５は、携帯装置２によるメイン処理に係る動作の一例を示すフローチャートである。
なお、以下に説明するメイン処理は、学習処理にて携帯装置２が主として実行する処理である。また、上記した学習処理と同様に、出題制御部２０５ｂが、英単語の問題を出題する場合について説明する。
【００５６】
図５に示すように、先ず、動作制御部２０５は、全体の出題数ｍ、各問題の出題数ni[p]、正解した回数nj[p]、各問題の正解率nk[p]等を初期化する（ステップＳ１１；初期化処理）。
続けて、中央制御部２０１のＣＰＵは、ユーザによる操作入力部２０９の所定操作に基づいて処理実行部２０５ａによりロックを解除するロック解除指示が入力されたか否かを判定する（ステップＳ１２）。この判定処理は、上記した学習処理におけるステップＳ５における処理と同様である。
【００５７】
ステップＳ１２にて、ロック解除指示が入力されていないと判定されると（ステップＳ１２；ＮＯ）、中央制御部２０１のＣＰＵは、ロック解除指示が入力されたか否かの判定を所定の時間間隔で繰り返し実行する。
一方、ステップＳ１２にて、ロック解除指示が入力されたと判定されると（ステップＳ１２；ＹＥＳ）、動作制御部２０５は、出題制御部２０５ｂにより出題された問題の数を表す全体の出題数ｍを＋１インクリメントして（ステップＳ１３）、全体の出題数ｍが所定数（例えば、２０）以下であるか否かを判定する（ステップＳ１４）。
【００５８】
ステップＳ１４にて、全体の出題数ｍが所定数（例えば、２０）以下であると判定されると（ステップＳ１４；ＹＥＳ）、出題制御部２０５ｂは、出題制御プログラムを実行することで、記憶部２０４に記憶されている問題情報Ｑに含まれる問題数の範囲内（例えば、問題数nの場合、「0」〜「n-1」の範囲内等）で乱数ｐを生成する（ステップＳ１５）。そして、出題制御部２０５ｂは、生成された乱数ｐに対応する問題の出題数ni[p]を＋１インクリメントする（ステップＳ１６）。また、出題制御部２０５ｂは、生成された乱数ｐに対応する問題を表示部２０６の表示領域にロック解除画面に重畳させて表示させる。
【００５９】
次に、出題制御部２０５ｂは、表示部２０６に表示されている問題に対してユーザによる操作入力部２０９の所定操作に基づいて入力された解答が正解であるか否かを判定する（ステップＳ１７）。この判定処理は、上記した学習処理におけるステップＳ７における処理と同様である。
ここで、解答が正解でない（誤解答である）と判定されると（ステップＳ１７；ＮＯ）、中央制御部２０１のＣＰＵは、処理をステップＳ１３に戻し、それ以降の各処理の実行を制御する。すなわち、ステップＳ１３にて、動作制御部２０５は、出題制御部２０５ｂにより出題された問題の数を表す全体の出題数ｍを＋１インクリメントし、ステップＳ１４にて、全体の出題数ｍが所定数（例えば、２０）以下でないと判定（ステップＳ１４；ＮＯ）されるか、或いは、ステップＳ１７にて、解答が正解であると判定（ステップＳ１７；ＹＥＳ）されるまで、上記の処理が繰り返し実行される。
【００６０】
ステップＳ１７にて、解答が正解であると判定されると（ステップＳ１７；ＹＥＳ）、出題制御部２０５ｂは、当該問題に正解した回数nj[p]を＋１インクリメントする（ステップＳ１８）。また、処理継続制御部２０５ｃは、処理実行部２０５ａに解除処理を継続して実行させ、当該携帯装置２のユーザによる操作不可のロック状態を解除してユーザによる操作可のアンロック状態にする。
そして、中央制御部２０１のＣＰＵは、処理をステップＳ１２に戻し、ロック解除指示が入力されたか否かを判定する（ステップＳ１２）。
【００６１】
一方、ステップＳ１４にて、全体の出題数ｍが所定数（例えば、２０）以下でないと判定されると（ステップＳ１４；ＮＯ）、正解率算出部２０５ｄは、メモリ２０２から各問題に対する正誤に係る情報を取得し、各問題の正解した回数nj[p]を出題数ni[p]で除算して各問題の正解率nk[p]をそれぞれ算出する（ステップＳ１９）。
続けて、出題頻度制御部２０５ｅは、正解率算出部２０５ｄにより算出された正解率nk[p]が低い問題ほどより多く出題されるように、例えば、下記式（１）に従って各問題の最大出題数n_max[p]を算出する（ステップＳ２０）。
各問題の最大出題数n_max[p]＝(1- nk[p])×所定の自然数y      …式（１）
【００６２】
図６に示すように、次に、動作制御部２０５は、各問題の出題数ni[p]、正解した回数nj[p]、各問題の正解率nk[p]等を再度初期化する（ステップＳ２１；再初期化処理）。
続けて、中央制御部２０１のＣＰＵは、ユーザによる操作入力部２０９の所定操作に基づいてロック解除指示が入力されたか否かを判定する（ステップＳ２２）。この判定処理は、上記したステップＳ１２における処理と同様である。
【００６３】
ステップＳ２２にて、ロック解除指示が入力されていないと判定されると（ステップＳ２２；ＮＯ）、中央制御部２０１のＣＰＵは、ロック解除指示が入力されたか否かの判定を所定の時間間隔で繰り返し実行する。
一方、ステップＳ２２にて、ロック解除指示が入力されたと判定されると（ステップＳ２２；ＹＥＳ）、出題制御部２０５ｂは、出題制御プログラムを実行することで、記憶部２０４に記憶されている問題情報Ｑに含まれる問題数の中で乱数ｐを生成する（ステップＳ２３）。そして、出題制御部２０５ｂは、生成された乱数ｐに対応する問題の出題数ni[p]を＋１インクリメントする（ステップＳ２４）。また、出題制御部２０５ｂは、生成された乱数ｐに対応する問題を表示部２０６の表示領域にロック解除画面に重畳させて表示させる。
【００６４】
次に、出題制御部２０５ｂは、表示部２０６に表示されている問題に対してユーザによる操作入力部２０９の所定操作に基づいて入力された解答が正解であるか否かを判定する（ステップＳ２５）。この判定処理は、上記したステップＳ１７における処理と同様である。
ここで、解答が正解でない（誤解答である）と判定されると（ステップＳ２５；ＮＯ）、中央制御部２０１のＣＰＵは、処理をステップＳ２３に戻し、それ以降の各処理の実行を制御する。すなわち、出題制御部２０５ｂは、乱数ｐを再度生成して（ステップＳ２３）、生成された乱数ｐに対応する問題の出題数ni[p]を＋１インクリメントする（ステップＳ２４）。
【００６５】
ステップＳ２５にて、解答が正解であると判定されると（ステップＳ２５；ＹＥＳ）、出題制御部２０５ｂは、当該問題に正解した回数nj[p]を＋１インクリメントする（ステップＳ２６）。また、処理継続制御部２０５ｃは、処理実行部２０５ａに解除処理を継続して実行させ、当該携帯装置２のユーザによる操作不可のロック状態を解除してユーザによる操作可のアンロック状態にする。
【００６６】
そして、出題頻度制御部２０５ｅは、出題制御部２０５ｂにより出題された問題の出題数が最大出題数n_max[p]以下であるか否かを判定する（ステップＳ２７）。
ここで、当該問題の出題数が最大出題数n_max[p]以下であると判定されると（ステップＳ２７；ＹＥＳ）、中央制御部２０１のＣＰＵは、処理をステップＳ２２に戻し、それ以降の各処理の実行を制御する。
【００６７】
一方、ステップＳ２７にて、問題の出題数が最大出題数n_max[p]以下でないと判定されると（ステップＳ２７；ＮＯ）、出題頻度制御部２０５ｅは、記憶部２０４に記憶されている問題情報Ｑに含まれる全ての問題について、各問題の出題数が最大出題数n_max[p]を超えたか否かを判定する（ステップＳ２８）。
ここで、全ての問題について、各問題の出題数が最大出題数n_max[p]を超えていないと判定されると（ステップＳ２８；ＮＯ）、中央制御部２０１のＣＰＵは、ユーザによる操作入力部２０９の所定操作に基づいてロック解除指示が入力されたか否かを判定する（ステップＳ２９）。この判定処理は、上記したステップＳ２２における処理と同様である。
【００６８】
ステップＳ２９にて、ロック解除指示が入力されたと判定されると（ステップＳ２９；ＹＥＳ）、出題制御部２０５ｂは、出題制御プログラムを実行することで、記憶部２０４に記憶されている問題情報Ｑに含まれる問題数の中で乱数ｐを生成する（ステップＳ３０）。そして、出題頻度制御部２０５ｅは、生成された乱数ｐに対応する問題の出題数が最大出題数n_max[p]以下であるか否かを判定する（ステップＳ３１）。
ここで、乱数ｐに対応する問題の出題数が最大出題数n_max[p]以下でないと判定されると（ステップＳ３１；ＮＯ）、中央制御部２０１のＣＰＵは、処理をステップＳ３０に戻し、それ以降の各処理の実行を制御する。すなわち、出題制御部２０５ｂは、乱数ｐを再度生成し（ステップＳ３０）、出題頻度制御部２０５ｅは、生成された乱数ｐに対応する問題の出題数が最大出題数n_max[p]以下であるか否かを判定する（ステップＳ３１）。
【００６９】
ステップＳ３１にて、乱数ｐに対応する問題の出題数が最大出題数n_max[p]以下であると判定されると（ステップＳ３１；ＹＥＳ）、出題制御部２０５ｂは、生成された乱数ｐに対応する問題の出題数ni[p]を＋１インクリメントする（ステップＳ３２）。また、出題制御部２０５ｂは、生成された乱数ｐに対応する問題を表示部２０６の表示領域にロック解除画面に重畳させて表示させる。
次に、出題制御部２０５ｂは、表示部２０６に表示されている問題に対してユーザによる操作入力部２０９の所定操作に基づいて入力された解答が正解であるか否かを判定する（ステップＳ３３）。この判定処理は、上記したステップＳ２５における処理と同様である。
ここで、解答が正解でない（誤解答である）と判定されると（ステップＳ３３；ＮＯ）、中央制御部２０１のＣＰＵは、処理をステップＳ３０に戻し、それ以降の各処理の実行を制御する。
【００７０】
一方、ステップＳ３３にて、解答が正解であると判定されると（ステップＳ３３；ＹＥＳ）、出題制御部２０５ｂは、当該問題に正解した回数nj[p]を＋１インクリメントする（ステップＳ３４）。また、処理継続制御部２０５ｃは、処理実行部２０５ａに解除処理を継続して実行させ、当該携帯装置２のユーザによる操作不可のロック状態を解除してユーザによる操作可のアンロック状態にする。
そして、出題頻度制御部２０５ｅは、出題制御部２０５ｂにより出題された問題の出題数が最大出題数n_max[p]以下であるか否かを判定する（ステップＳ３５）。この判定処理は、上記したステップＳ２７における処理と同様である。
【００７１】
ステップＳ３５にて、当該問題の出題数が最大出題数n_max[p]以下であると判定されると（ステップＳ３５；ＹＥＳ）、中央制御部２０１のＣＰＵは、処理をステップＳ２９に戻し、それ以降の各処理の実行を制御する。
一方、ステップＳ３５にて、問題の出題数が最大出題数n_max[p]以下でないと判定されると（ステップＳ３５；ＮＯ）、中央制御部２０１のＣＰＵは、処理をステップＳ２８に戻し、それ以降の各処理の実行を制御する。
【００７２】
ステップＳ２８にて、全ての問題について、各問題の出題数が最大出題数n_max[p]を超えたと判定されると（ステップＳ２８；ＹＥＳ）、正解率算出部２０５ｄは、全ての問題について、各問題の正解した回数nj[p]を出題数ni[p]で除算して各問題の正解率nk[p]をそれぞれ再度算出する（ステップＳ３６）。この算出処理は、上記したステップＳ１９における処理と同様である。
続けて、出題頻度制御部２０５ｅは、正解率算出部２０５ｄにより算出された正解率nk[p]が低い問題ほどより多く出題されるように各問題の最大出題数n_max[p]を再度算出する（ステップＳ３７）。この算出処理は、上記したステップＳ２０における処理と同様である。
【００７３】
その後、中央制御部２０１のＣＰＵは、処理をステップＳ２１に戻し、動作制御部２０５は、各問題の出題数ni[p]、正解した回数nj[p]、各問題の正解率nk[p]等を再度初期化する（ステップＳ２１）。そして、中央制御部２０１のＣＰＵは、ステップＳ２２以降の各処理の実行を制御する。
【００７４】
以上のように、本実施形態の学習システム１００によれば、携帯装置２にあっては、第２処理（例えば、解除処理等）を実行するためのユーザの操作後に、当該ユーザの操作による第２処理を処理実行部２０５ａに実行させないように制御するとともに、出題制御部２０５ｂに問題を出題させるように制御し、問題の出題後に、処理実行部２０５ａに第２処理を実行させるように制御するので、学習とは無関係の何れかの第２処理の実行するためのユーザの操作後に問題を出題することで、学習する機会を提供することができ、反復的に学習する必要がある問題等を効率良く学習することができる。
具体的には、例えば、携帯装置２のユーザによる操作不可の状態を解除して操作可の状態にする解除処理が実行される前に、問題を出題し、出題された問題にユーザが正解した場合に、解除処理にて当該携帯装置２のユーザによる操作不可の状態を解除して操作可の状態にすることができる。また、例えば、当該携帯装置２を起動させる起動処理が実行される前に、問題を出題し、出題された問題にユーザが正解した場合に、起動処理を継続して当該携帯装置２を起動することができる。すなわち、例えば、日常的に携帯装置２を操作する機会が多いユーザにとっては、ユーザが携帯装置２に対して所定の操作を行う毎に問題が出題されることとなり、学習する機会をより多く提供することができ、反復的な学習を効率良く行うことができる。
【００７５】
また、出題された各問題の正解率をそれぞれ算出し、算出された正解率に基づいて、出題される各問題の出題頻度を制御するので、各問題の正解率を考慮して問題を出題することができ、例えば、正解率の低い問題ほどより多く出題することで、正解率の低い問題を学習する機会をより多く提供することができ、集中的に効率良く学習することができる。
【００７６】
なお、本発明は、上記実施形態に限定されることなく、本発明の趣旨を逸脱しない範囲において、種々の改良並びに設計の変更を行っても良い。
例えば、正解率の低い問題ほどより多く出題するように各問題の出題頻度を制御するようにしたが、一例であってこれに限られるものではなく、適宜任意に変更可能である。例えば、正解した問題についても期間が経過すると、ユーザが忘れてしまう虞があるため、正解した日時から所定期間が経過した後に再度出題するようにしても良い。
また、正解率算出部２０５ｄや出題頻度制御部２０５ｅ等を具備するか否かも適宜任意に変更可能である。
【００７７】
また、問題情報Ｑは電子単語帳１から無線または有線を介して取得しても良いし、電子単語帳１以外の外部機器やクラウドシステムのサーバから取得しても良い。また、問題情報Ｑは予め記憶部２０４に記憶されていても良い。
本実施形態では、ユーザが正解した場合に処理を継続して実行させる例について示したが、ユーザの答えが不正解の場合も、例えば、正解を示した後に処理を継続して実行させても良い。また、ユーザが答えなくても所定時間後に処理を継続して実行させても良い。
【００７８】
さらに、上記実施形態にあっては、処理実行部２０５ａが起動処理を実行するような構成としたが、例えば、処理実行部２０５ａを備えずに、中央制御部２０１のＣＰＵが、当該携帯装置２を起動させる起動処理を実行するような構成であっても良い。
【００７９】
また、学習用装置として、電子単語帳１を例示したが、一例であってこれに限られるものではなく、適宜任意に変更可能である。
【００８０】
また、問題を取得する以外の処理（第２処理）を実行する場合において、ユーザによる操作入力部２０９の所定操作の後に問題を出題して、ユーザが問題に解答した後または所定時間経過後に、第２処理を実行するようにしても良い。例えば、ユーザが第２処理を実行するために携帯装置２のボタンを操作した後直ぐに問題が出題され、ユーザが問題に解答した後または所定時間経過後に、第２処理が実行される。したがって、電子メール等のアプリケーションソフトを実行するために、ユーザがアプリケーションソフトを実行するボタンやアイコンをタッチした後であって、アプリケーションソフトを実行する前に問題が出題されるため、ユーザに学習する機会を与えることができる。
また、ユーザの操作後に第２処理を実行し、所定時間後に第２処理を一旦停止させ、問題を出題させて、ユーザが問題に解答した後や所定時間後に、再び第２処理を継続させても良い。
【００８１】
加えて、上記実施形態にあっては、実行手段、出題手段、第１制御手段としての機能を、携帯装置２の中央制御部２０１の制御下にて、処理実行部２０５ａ、出題制御部２０５ｂ、処理継続制御部２０５ｃが駆動することにより実現される構成としたが、これに限られるものではなく、中央制御部２０１のＣＰＵによって所定のプログラム等が実行されることにより実現される構成としても良い。
すなわち、プログラムを記憶するプログラムメモリ（図示略）に、第１処理ルーチン、第２処理ルーチン、出題処理ルーチン、制御処理ルーチンを含むプログラムを記憶しておく。そして、第１処理ルーチンにより中央制御部２０１のＣＰＵを、出題する問題を取得する第１処理を実行する手段として機能させるようにしても良い。また、第２処理ルーチンにより中央制御部２０１のＣＰＵを、ユーザの操作に応じて、問題を取得する第１処理以外の第２処理を実行する手段として機能させるようにしても良い。また、出題処理ルーチンにより中央制御部２０１のＣＰＵを、第１処理により取得された問題を出題する手段として機能させるようにしても良い。また、制御処理ルーチンにより中央制御部２０１のＣＰＵを、第２処理を実行するためのユーザの操作後に、当該ユーザの操作による第２処理を実行させないように制御するとともに、問題を出題させるように制御し、問題の出題後に、第２処理を実行させるように制御する手段として機能させるようにしても良い。
【００８２】
同様に、算出手段、第２制御手段、取得手段についても、携帯装置２の中央制御部２０１のＣＰＵによって所定のプログラム等が実行されることにより実現される構成としても良い。
【００８３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００８４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
出題する問題を取得する第１処理を実行する第１処理手段と、
ユーザの操作に応じて、問題を取得する第１処理以外の第２処理を実行する第２処理手段と、
前記第１処理手段により取得された問題を出題する出題手段と、
前記第２処理を実行するための前記ユーザの操作後に、当該ユーザの操作による前記第２処理を前記第２処理手段に実行させないように制御するとともに、前記出題手段に前記問題を出題させるように制御し、前記問題の出題後に、前記第２処理手段に前記第２処理を実行させるように制御する第１制御手段と、
を備えたことを特徴とする出題装置。
＜請求項２＞
前記第２処理手段は、当該出題装置のユーザによる操作不可の状態を解除して操作可の状態にする解除処理を実行し、
前記第１制御手段は、前記解除処理を実行するための前記ユーザの操作後に、当該ユーザの操作による前記解除処理を前記第２処理手段に実行させないように制御するとともに、前記出題手段に前記問題を出題させるように制御し、前記問題の出題後に、前記第２処理手段に前記解除処理を実行させるように制御することを特徴とする請求項１に記載の出題装置。
＜請求項３＞
前記第２処理手段は、当該出題装置を起動させる起動処理を実行し、
前記第１制御手段は、前記起動処理を実行するための前記ユーザの操作後に、当該ユーザの操作による前記起動処理を前記第２処理手段に実行させないように制御するとともに、前記出題手段に前記問題を出題させるように制御し、前記問題の出題後に、前記第２処理手段に前記起動処理を実行させるように制御することを特徴とする請求項１に記載の出題装置。
＜請求項４＞
前記出題手段により出題された各問題の正解率をそれぞれ算出する算出手段と、
前記算出手段により算出された正解率に基づいて、前記出題手段により出題される各問題の出題頻度を制御する第２制御手段と、を更に備えることを特徴とする請求項１〜３の何れか一項に記載の出題装置。
＜請求項５＞
前記第１処理手段は、所定の通信回線を介した通信により問題を取得することを特徴とする請求項１〜４の何れか一項に記載の出題装置。
＜請求項６＞
出題する問題を記憶する記憶手段を更に備え、
前記第１処理手段は、前記記憶手段に記憶されている問題を取得することを特徴とする請求項１〜４の何れか一項に記載の出題装置。
＜請求項７＞
前記出題手段は、表示手段の表示領域に問題を表示させ、
前記表示領域に表示された問題の解答を入力する操作入力部を更に備えることを特徴とする請求項１〜６の何れか一項に記載の出題装置。
＜請求項８＞
出題装置を用いた出題方法であって、
出題する問題を取得する処理を実行する第１処理と、
ユーザの操作に応じて、問題を取得する処理以外の処理を実行する第２処理と、
前記第１処理により取得された問題を出題する出題処理と、
前記第２処理を実行するための前記ユーザの操作後に、当該ユーザの操作による前記第２処理を実行させないように制御するとともに、前記出題処理にて前記問題を出題させるように制御し、前記問題の出題後に、前記第２処理を実行するように制御する制御処理と、
を含むことを特徴とする出題方法。
＜請求項９＞
出題装置のコンピュータを、
出題する問題を取得する第１処理を実行する第１処理手段、
ユーザの操作に応じて、問題を取得する第１処理以外の第２処理を実行する第２処理手段、
前記第１処理手段により取得された問題を出題する出題手段、
前記第２処理を実行するための前記ユーザの操作後に、当該ユーザの操作による前記第２処理を前記第２処理手段に実行させないように制御するとともに、前記出題手段に前記問題を出題させるように制御し、前記問題の出題後に、前記第２処理手段に前記第２処理を実行させるように制御する制御手段、
として機能させることを特徴とするプログラム。
【符号の説明】
【００８５】
１００    学習システム
１        電子単語帳
２        携帯装置
２０１    中央制御部
２０３    第１無線処理部
２０３ａ  問題情報取得部
２０４    記憶部
２０５    動作制御部
２０５ａ  処理実行部
２０５ｂ  出題制御部
２０５ｃ  処理継続制御部
２０５ｄ  正解率算出部
２０５ｅ  出題頻度制御部
２０９    操作入力部
【図１】
2016062067.tif 000003
【図２】
2016062067.tif 000004
【図３】
2016062067.tif 000005
【図４】
2016062067.tif 000006
【図５】
2016062067.tif 000007
【図６】
2016062067.tif 000008